(57)【要約】【課題】第一の目的は、制御対象機器の個数の制限を受けないようにすること、第二の目的は、急を要する優先度設定の変更を可能にした家電機器デマンド制御システムを提供する。【解決手段】家電機器２００の電力を抑制するためのコントローラ１００を備えた家電機器デマンド制御システムにおいて、デマンド制御の優先度を設定するデマンド優先度設定手段２１３及び設定された優先度をコントローラに通知する優先度通知手段２１５を、家電機器２００側にそれぞれ設置し、コントローラ１００は、優先度通知手段２１５からの優先度に従ってデマンド制御対象の家電機器の順番を決定する。【選択図】図１
2010075015.tif 000002
【特許請求の範囲】
【請求項１】
家電機器の電力を抑制するためのコントローラを備えた家電機器デマンド制御システムにおいて、
デマンド制御の優先度を設定するデマンド優先度設定手段、及び設定された優先度をコントローラに通知する優先度通知手段を家電機器側にそれぞれ設置し、
前記コントローラは、前記優先度通知手段からの優先度に基づいて電力抑制対象とする家電機器の順番を決定することを特徴とする家電機器デマンド制御システム。
【請求項２】
使用電力量を測定する電力量センサを備え、
前記コントローラは、前記電力量センサにより測定された使用電力量と契約電力量とを比較し、使用電力量超過時にデマンド制御処理を実行する
ことを特徴とする請求項１記載の家電機器デマンド制御システム。
【請求項３】
前記コントローラは、
所定期間毎に設定された目標使用電力量と消費電力量とを比較し、所定の基準に基づいて消費電力量が目標使用電力量を超過するおそれがあると判定した場合に、デマンド制御処理を実行することを特徴とする請求項１又は２記載の家電機器デマンド制御システム。
【請求項４】
前記コントローラと通信する通信アダプタを更に備え、
前記通信アダプタは、
前記デマンド優先度設定手段及び前記優先度通知手段を備え、家電機器に外付けで接続されることを特徴とする請求項１〜３の何れかに記載の家電機器デマンド制御システム。
【請求項５】
前記デマンド優先度設定手段及び前記優先度通知手段を、電力供給源に設けたことを特徴とする請求項１〜３の何れかに記載の家電機器デマンド制御システム。
【請求項６】
前記コントローラは、
家電機器の機種に応じた優先順位が設定され、当該優先順位に基づいて電力抑制対象とする家電機器の機種の順番を決定し、
同一機種内においては、前記デマンド優先度設定手段によって設定された優先度に基づいて電力抑制対象とする家電機器の順番を決定することを特徴とする請求項１〜５の何れかに記載の家電機器デマンド制御システム。
【請求項７】
前記デマンド優先度設定手段は、１台の家電機器の複数の駆動部位に対応してそれぞれ優先度を設定し、
前記コントローラは、１台の家電機器の複数の駆動部位の優先度に応じて優先順位を決定し、前記優先順位に基づいて前記複数の駆動部位をそれぞれ制御すること
を特徴とする請求項１〜６の何れかに記載の家電機器デマンド制御システム。
【請求項８】
アラームを発生するアラーム発生手段を備え、
前記コントローラは、使用電力量超過時にアラーム発生手段を駆動してアラームを発し、一定時間後、前記デマンド制御処理を実行することを特徴とする請求項１〜７の何れかに記載の家電機器デマンド制御システム。
【発明の詳細な説明】
【技術分野】
【０００１】
本発明は、家電機器の電力超過による基幹ブレーカ遮断の防止や省エネのために電気機器の電力抑制制御を行う家電機器デマンド制御システムに関する。
【背景技術】
【０００２】
従来、この種の家電機器デマンド制御システムとして、例えば「機器のアドレスとデマンド処理優先順位を各機器毎に同一かつ個別のスイッチ手段１１ａ，１１ｂ，・・・１１ｎで設定し、使用電力量が契約電力量を越えた場合、全体のブレーカにより複数の機器をすべて遮断する前にスイッチ手段で設定されたデマンド処理優先順位に従って優先順位の高い機器から個別に電力を遮断し、各機器毎に設けられたスイッチ手段の操作のみでデマンド処理優先順位の設定および機器の追加変更を簡単に行うことができる。」というものが提案されている（例えば特許文献１参照）。
【０００３】
【特許文献１】特開平９−２５２５３３号公報（要約、図１）
【発明の開示】
【発明が解決しようとする課題】
【０００４】
従来の家電機器デマンド制御システムにおいては、デマンド処理の優先順位を設定するための設定手段としてのスイッチ手段がデマンド制御装置（コントローラ）側に配置されていたため、デマンド優先順位設定手段がデマンド制御装置（コントローラ）のハードウェアに依存しており、制御対象機器の個数に制限があり、また、急を要する優先度設定変更ができない、という問題点があった。
【０００５】
本発明は、このような問題点を解決するためになされたものであり、第一の目的は、制御対象機器の個数の制限を受けないようにした家電機器デマンド制御システムを提供することにあり、また、第二の目的は、急を要する優先度設定の変更を可能にした家電機器デマンド制御システムを提供することにある。
【課題を解決するための手段】
【０００６】
本発明に係る家電機器デマンド制御システムは、家電機器の電力を抑制するためのコントローラを備えた家電機器デマンド制御システムにおいて、デマンド制御の優先度を設定するデマンド優先度設定手段及び設定された優先度をコントローラに通知する優先度通知手段を、家電機器側にそれぞれ設置し、前記コントローラは、前記優先度通知手段からの優先度に基づいて電力抑制対象とする家電機器の順番を決定する。
【発明の効果】
【０００７】
本発明においては、デマンド制御の優先度を設定するデマンド優先度設定手段及び設定された優先度をコントローラに通知する優先度通知手段を、コントローラ側ではなく、家電機器側にそれぞれ設置するようにしており、このため、制御対象の家電機器の個数に制限がなく、優先度の設定／変更、制御対象機器の追加／削除に柔軟に対応することができ、システムの構築に自由度が増している。
【発明を実施するための最良の形態】
【０００８】
実施の形態１．
図１（ａ）（ｂ）は、本発明の実施の形態１に係る家電機器デマンドシステムの構成を示したブロック図である。
家電機器デマンドシステムは、コントローラ１００と家電機器２００とから構成されている。コントローラ１００は、例えばマイコン等からなる演算手段１０１やメモリ１０２を内蔵しており、家電機器２００の消費電力を計測する電力量センサ１１０の出力が供給される。家電機器２００としては、この例では、エアコン１（子供部屋）２０１、エアコン（書斎）２０２、ＩＨクッキングヒータ２０３、及びコンセント２０４に接続された家電機器２０５をデマンド制御の対象としている。そして、エアコン１（子供部屋）２０１、エアコン２（書斎）２０２、ＩＨクッキングヒータ２０３及びコンセント２０４には、デマンド優先度設定手段２１３がそれぞれ設けられている。ユーザーがデマンド優先度設定手段２１３の設定をすることにより各家電機器の優先度が設定される。そして、図１（ａ）に示されるように、その優先度は例えば優先度通知手段（図示せず。但し、図３、図４参照）によりコントローラ１００に送信される。なお、上記のコントローラ１００と家電機器２００とは、例えばＥＣＨＯＮＥＴ（Energy Conservation and Homecare Network ）等によるホームネットワークによって接続されているものとする。このことは後述の実施の形態においても同様である。
【０００９】
コントローラ１００の演算手段１０１は、家電機器２００から優先度が送信されてくると、それを受信してメモリ１０２に格納する。その際には、例えば図２に示されるように、例えば優先度の高い順（即ち、電力抑制対象とする順位の高い順）にソートして格納する。コントローラ１００の演算手段１０１は、電力量センサ１１０の出力を取り込んで、その消費電力量が所定の基準電力を超えていた場合には、図１（ｂ）に示されるようにデマンド制御を行う。このデマンド制御とは、基幹ブレーカの切断を防ぐために消費電力のピーク値を抑制し、或いは省エネのために電力抑制のための優先順位を特定し、その優先順位の情報に基づいて家電機器の電力の抑制又は停止順位を動的に変更する制御である。この例では図２のデマンド優先度の高い家電機器に対して停止又は出力を低減させるための制御命令を家電機器２００側に送信する。家電機器２００はその制御命令に従って制御し、全体として、家電機器２００の消費電力が所定の基準電力以下になる。
【００１０】
以上のように本実施の形態１においては、デマンド優先度設定手段２１３を家電機器２００側に設けるようにしたので、優先度の設定／変更、制御対象機器の追加／変更に柔軟に対応することができる。このため、制御対象の家電機器の個数が増加しても支障がなく、家電機器の個数の制約がなく、システムの構築に自由度が増している。
【００１１】
実施の形態２．
次に、上記のデマンド優先度設定手段２１３及び優先度通知手段（図示せず）を通信アダプタ及びコンセントに設けた例を実施の形態２として説明する。
図３及び図４は、本発明の実施の形態２に係る家電機器デマンド制御システムの構成図である。なお、図３はデマンド優先度設定手段等を通信アダプタに搭載した例であり、図４はデマンド優先度設定手段等をコンセントに搭載した例である。何れも家電機器が１個しか図示されていないが、図１に示されるように複数の家電機器が接続されているものとする。
【００１２】
図３の通信アダプタ２１０は、家電機器側インターフェース２１１、コントローラ側インターフェース２１２、デマンド優先度設定手段２１３及び演算手段２１４を内蔵している。演算手段２１４は、優先度通知手段２１５及び変換手段２１６の機能を持っている。優先度通知手段２１５は、デマンド優先度設定手段２１３により設定された優先度をコントローラ側インターフェース２１２を介してコントローラ１００に通知するものである。変換手段２１６は、コントローラ１００からのデマンド制御コマンドを家電機器２０１に対する制御信号（家電機器の停止、出力の低減）に変換し、家電機器側インターフェース２１１を介して家電機器２０１に送信する。
【００１３】
図４のコンセント２０４は、コントローラ側インターフェース２１２、デマンド優先度設定手段２１３、演算手段２１４及び電源遮断制御手段２１７を備えている。演算手段２１４は、優先度通知手段２１５の機能を持っている。優先度通知手段２１５は、図３の例と同様に、デマンド優先度設定手段２１３により設定された優先度をコントローラ側インターフェース２１２を介してコントローラ１００に通知するものである。コントローラ１００からのデマンド制御コマンドは、電源遮断制御手段２１７に供給されて、主電源供給源（商用電源）から家電機器２０１への電力供給を遮断する。なお、コンセント２０４は家電機器側インターフェース２１１を備えておらず、したがって、家電機器との間で信号の授受は行われず、後述のデマンド制御においては電源遮断制御手段２１７によって電力供給を遮断するという制御動作がなされる。
【００１４】
次に、図３の家電機器デマンド制御システムの動作を説明する。
図５は立ち上がり時の動作を示すシーケンスである。
（ａ）家電機器２０１の電源がＯＮになると、例えば通信アダプタ２１０の駆動電源が家電機器２０１から供給されることにより、演算手段２１４は、電源がＯＮになったことを把握する。演算手段２１４は、電源がＯＮになったことを把握すると、アドレス取得要求をコントローラ側インターフェース２１２を介してコントローラ１００に送信する。
（ｂ）コントローラ１００は、アドレス取得要求を受信すると、その要求に応じてアドレスを通信アダプタ２１０側に該当するアドレスを送信する。
（ｃ） 通信アダプタ２１０の演算手段２１４は、コントローラ１００からアドレスを取得すると、次に、家電機器２０１からノード情報を家電機器側インターフェース２１１を介して取得し、そのノード情報をコントローラ１００に対してコントローラ側インターフェース２１２を介して送信する。このノード情報には、家電機器の機種情報、プロパティ情報（電源や運転モード等、操作可能なプロパティ）が含まれる。
（ｄ）また、通信アダプタ２１０の優先度通知手段２１５は、デマンド優先度設定手段２１３によって設定された優先度をコントローラ側インターフェース２１２を介してコントローラ１００に送信する。コントローラ１００の演算手段１０１は、優先度を受信すると、メモリ１０２に格納する。
【００１５】
なお、上記の起動時のシーケンスは、ＥＣＨＯＮＥＴ規格に準拠したものではなく、説明のために単純化したものである。
また、上記の起動時のシーケンスの説明は図３の通信アダプタ２１０についてのものであり、図４のコンセント２０４についてもその立ち上がり時の基本動作は同じであるが、家電機器との間で信号の授受は行われず、ノード情報の通知は行われない。
【００１６】
上記のようにして電源ＯＮの立ち上り時の処理が終了した後には、コントローラ１００は次の図６の処理に移行する。
図６は、コントローラ１００の演算手段１０１の処理動作を示すフローチャートである。
演算手段１０１は、電力量センサ１１０から現在の消費電力を取得し（Ｓ１１）、そして、消費電力と契約電力とを対比し、消費電力＞契約電力、という条件が成立するかどうかを判定し（Ｓ１２）、消費電力が小さくその条件が成立しない場合には、一定時間を経過したかどうかを判定し（Ｓ１３）、一定時間を経過していなければ上記の処理（Ｓ１１）に戻るが、一定時間を経過していれば、積算電力量を取得する（Ｓ１４）。この積算電力量は、例えば積算電力計（図示せず）から取得し、或いは電力量センサ１１０の出力を積算して求めるが、何れの場合においても、後述の目標電力量に対応した期間の電力量に換算する必要がある。演算手段１０１は、目標電力量を算出する（Ｓ１５）。この目標電力量は、月ごとに設定するものとし、或いは、１月の電力量（省エネのための目標値としてユーザが設定）を等分に使用するとした場合には、月初めから当該日の当該時間までに使用可能な電力量を目標電力量とする。演算手段１０１は、目標電力量と積算電力量とを対比し、目標電力量＜積算電力量（消費電力量）、という条件が成立するかどうかを判定し（Ｓ１６）、積算電力量が小さくその条件が成立しない場合には、上記の処理（Ｓ１１）に移行する。
【００１７】
演算手段１０１は、上記の判定処理（Ｓ１２）又は（Ｓ１６）において条件が成立した場合、即ち、消費電力＞契約電力又は積算電力量＞目標電力量の条件が成立した場合においてはデマンド制御を実行する（Ｓ１７、Ｓ１８）。なお、積算電力量によるデマンド制御（Ｓ１８）については、実際に後述のようなデマンド制御（図７、図８）をせずに、アラームを通知するだけであってもよい。
なお、本実施の形態２においては、瞬時電力の制御は常に監視していなければならないが、積算電力の制御の場合には緊急度が低いので、上記のように一定時間経過（Ｓ１３）の条件によって、チェックの頻度を低くしている。
また、上記のデマンド制御（Ｓ１７、Ｓ１８）は、コンセント２０４の場合には優先度の高い家電機器の電源を遮断するだけの処理になるが、通信アダプタ２１０の場合にはそれに比べて複雑な処理をするので、図７及び図８に基づいてその詳細を説明する。
【００１８】
図７は、デマンド制御の対象機器がエアコン２０１である場合のコントローラ１００によるデマンド制御（Ｓ１７、Ｓ１８）の処理の例を示したフローチャートである。
（ａ）コントローラ１００の演算手段１０１は、エアコンの運転モードが冷房であるかどうかを判定し（Ｓ２１）、冷房であると判定した場合には設定温度を上げる（Ｓ２２）。つまり、演算手段１０１は通信アダプタ２１０に設定温度を上げるデマンド制御コマンドを送信し、通信アダプタ２１０はそのコマンドを受信すると、そのコマンドに対応した制御信号をエアコン２０１に送信する。エアコン２０１はその制御信号に基づいて設定温度を上げて運転する。
【００１９】
（ｂ）コントローラ１００の演算手段１０１は、電力量センサ１１０からの消費電力値を取得する。エアコン２０１は設定温度を上げて運転しているので、消費電力値は低下しているはずであるが、ここで、電力値超過問題が解決したかどうかを判定し（Ｓ２４）、解決していればこのデマンド制御を終了するが、解決していない場合には、設定温度と室温とを対比し（Ｓ２５）、設定温度＜室温の条件が成立した場合には、上記の処理（Ｓ２２）に移行する。
【００２０】
（ｃ）演算手段１０１は、設定温度＜室温の条件が成立しなかった場合には、運転モードを「送風」に変えるためのデマンド制御コマンドを送信する（Ｓ２６）。通信アダプタ２１０はそのコマンドを受信すると、そのコマンドに対応した制御信号をエアコン２０１に送信する。これによって、エアコン２０１は運転モードが「送風」に設定されて「送風」運転する。エアコン２０１の「送風」運転により消費電力値は低下するが、ここで、電力値超過問題が解決したかどうかを再び判定し（Ｓ２４）、解決していればこのデマンド制御を終了するが、解決していない場合には電源をオフにするデマンド制御コマンドを送信する（Ｓ２８）。通信アダプタ２１０はそのコマンドを受信すると、そのコマンドに対応した制御信号をエアコン２０１に送信する。エアコン２０１はその制御信号に基づいて電源をオフにする。
【００２１】
（ｄ）コントローラ１００の演算手段１０１は、エアコン２０１の運転モードが「冷房」ではないと判定した場合（Ｓ２１）には、次に、運転モードが「暖房」であるかどうか判定し（Ｓ３１）、暖房であると判定した場合には設定温度を下げる（Ｓ３２）。つまり、演算手段１０１は通信アダプタ２１０に設定温度を下げるデマンド制御コマンドを送信し、通信アダプタ２１０はそのコマンドを受信すると、そのコマンドに対応した制御信号をエアコン２０１に送信する。エアコン２０１はその制御信号に基づいて設定温度を下げて運転する。
【００２２】
（ｅ）コントローラ１００の演算手段１０１は、電力量センサ１１０からの消費電力値を取得する（Ｓ３）。エアコン２０１は設定温度を下げて運転しているので、消費電力値は低下しているはずであるが、ここで、電力値超過問題が解決したかどうかを判定し（Ｓ３４）、解決していればこのデマンド制御を終了するが、解決していない場合には、設定温度と室温とを対比し（Ｓ３５）、設定温度＞室温の条件が成立した場合には、上記の処理（Ｓ３２）に移行する。
【００２３】
（ｆ）演算手段１０１は、設定温度＞室温の条件が成立しなかった場合には、電源をオフにする（Ｓ３６）。これによって、上記の場合と同様にしてエアコン２０１は電源をオフにする。
（ｇ）また、演算手段１０１は、上記の判定（Ｓ３１）において運転モードが「暖房」ではない判定した場合には、電源をオフにする（Ｓ３７）。これによって、上記の場合と同様にしてエアコン２０１は電源をオフにする。
なお、上記の処理においては、室温や運転モードは、コントローラ１００から通信アダプタ２１０側に対して「取得要求」コマンドを送信し、通信アダプタ２１０が家電機器２００から該当する情報を取得し、コントローラ１００側に送信することによりコントローラ１００は該当する情報を取得する。
【００２４】
以上のように、エアコンのデマンド制御を要約すると、（１）運転モードが冷房の場合には徐々に温度を上げる、（２）運転モードが暖房の場合には徐々に温度を下げることより実現し、温度を変えても電力超過が解決しない場合（冷房の場合）には運転モードを「送風」に変える。それでも電力超過問題が解決しない場合には電源をオフにする、という処理をする。
【００２５】
図８はデマンド制御の制御対象がＩＨクッキングヒータ２０３の場合のデマンド制御の処理（Ｓ１７、Ｓ１８）を示したフローチャートである。
コントローラ１００の演算手段１０１は、使用可能な電力量を求めてそれを通知する（Ｓ４１）。例えば瞬時電力の場合には、消費電力と契約電力との差電力を求め、その差電力により使用可能な電力量を求めて、通信アダプタ２１を介してＩＨクッキングヒータ２０３に送信し、ＩＨクッキングヒータ２０３は使用可能な電力量を設定電力としてＩＨヒータを駆動する。
【００２６】
以上のように本実施の形態２によれば、デマンド制御の優先度を設定するデマンド優先度設定手段２１３及び設定された優先度をコントローラ１００に通知する優先度通知手段２１５を家電機器２００側にそれぞれ設置し、コントローラ１００は、優先度通知手段２１５からの優先度に基づいて電力抑制対象とする家電機器の順番を決定するようにしており、このため、優先度の設定／変更、制御対象機器の追加／変更に柔軟に対応することができる。
【００２７】
また、電力量センサ１１０により使用電力量を測定し、コントローラ１００は、電力量センサ１１０により測定された使用電力量と契約電力量とを比較し、使用電力量超過時にデマンド制御処理を実行するようにしており、このため、電気機器の電力超過による基幹ブレーカ遮断の防止が可能になっている。
また、コントローラ１００は、所定期間毎に設定された目標使用電力量と消費電力量とを比較し、所定の基準に基づいて消費電力量が目標使用電力量を超過するおそれがあると判定した場合に、デマンド制御処理を実行するようにしたので、消費電力量が抑制され省エネ制御が可能になっている。
また、通信アダプタ２１０にデマンド優先度設定手段２１３及び優先度通知手段２１５を設け、通信アダプタ２１０を必要に応じて家電機器２００に追加してコントローラ１００と通信するようにしたので、制御対象の家電機器本体のコスト増加が避けられる。
また、デマンド優先度設定手段２１３及び優先度通知手段２１５をコンセント２０４のような電力供給源に設けたので、制御対象の家電機器に、通信手段、又は通信手段（アダプタ）に接続する端子がなくともデマンド制御を実現することができる。
【００２８】
実施の形態３．
上記の実施の形態１、２においては、家電機器２００側において設定された優先順位に基づいてデマンド制御を実行する例について説明したが、実施の形態３は、機種による優先順位を予め決めておいて、その機種の優先度と各機器のデマンド優先度設定手段２１３による優先度とを組み合わせてデマンド制御の順位を決定するようにしたものであり、その処理の詳細を図９のフローチャートに基づいて説明する。
【００２９】
図９は、コントローラ１００の演算手段１０１の処理過程を示したフローチャートである。
演算手段１０１は、予め与えられた機種間の優先順位により対象機器を選択する（Ｓ５１）。そして、デマンド優先度設定手段２１３により設定された機器間の優先順位により対象機器を選択する（Ｓ５２）。そして、対象機器に対してデマンド制御を実行する（Ｓ５３）。このデマンド制御は、図７及び図８に記載された制御内容と基本的には同様な制御内容になる。そして、演算手段１０１は、電力超過の問題が解決したかどうかを判定する（Ｓ５４）。
演算手段１０１は、電力超過の問題が解決した場合には処理を終了するが、解決していない場合には、デマンド制御の対象機器の全てについての制御が終了したかどうかを判定し（Ｓ５５）、終了していない場合には、処理（Ｓ５２）に戻って次の優先順位の対象機器を選択し、処理（Ｓ５３、Ｓ５４）を繰り返す。また、上記の判定（Ｓ５５）で対象機種の機器を全て制御したと判定した場合には、処理（Ｓ５１）に戻って、次に優先順位が高い対象機種を選択し、 処理（Ｓ５２、Ｓ５３、Ｓ５４）を繰り返す。
【００３０】
例えば、エアコンとＩＨクッキングヒータとでは例えばエアコンの優先度がＩＨクッキングヒータよりも低く設定されている場合には、デマンド優先度設定手段２１３による優先度の設定が、例えば、エアコン２０１の優先度が「５」、エアコン２０２の優先度が「８」、ＩＨクッキングヒータ２０３の優先度が「７」に設定されていたとしても、まず、エアコンがエアコン２０２、エアコン２０１の順序でデマンド制御が実行され、次に、ＩＨクッキングヒータ２０３がデマンド制御されることになる。
【００３１】
以上のように本実施の形態３においては、家電機器の機種に応じた優先順位が設定されており、同一機種内においては、デマンド優先度設定手段２１３によって設定された優先度に基づいてデマンド制御の順位を決定するようにしており、同機種の家電機器間で優先度の設定を行えばよいので、ユーザーの優先度の設定のための負荷が軽減されている。
【００３２】
実施の形態４．
図１０は、本発明の実施の形態４に係る家電機器デマンド制御システムの家電機器側の構成を示したブロック図である。上述の実施の形態１〜３においては、１個の家電機器全体を１つの制御対象とした例について説明したが、本実施の形態４において、家電機器を複数の制御対象に分離してそれぞれについてデマンド制御するようにしている。
【００３３】
図１０のＩＨクッキングヒータ２０３は、ＩＨコイル又はヒータからなるプレート３０１〜３０３と、インバータ等から構成され、プレート３０１〜３０３の電力制御をするプレート電力制御手段３０４〜３０６とを備えており、プレート電力制御手段３０４〜３０６は、それぞれ端子３０７〜３０９に接続されている。そして、端子３０７〜３０９には上記の通信アダプタ２１０がそれぞれ接続されている。
【００３４】
図１０のＩＨクッキングヒータ２０３は、プレート３０１〜３０３に通信アダプタ２１０がそれぞれ接続されている構成が採用されていることから、プレート３０１〜３０３毎に優先度を設定することが可能になっており、各プレート３０１〜３０３毎にデマンド制御が可能になっている。例えばお湯沸かし中のプレートよりも炒め物を調理中のプレートの優先度を低くする等の設定が可能になっており、使い勝手のよいものとなっている。
【００３５】
実施の形態５．
図１１は、本発明の実施の形態５４に係る家電機器デマンド制御システムの構成を示したブロック図であり、図１２（ａ）（ｂ）は、デマンド優先度設定手段の構成例を示した図である。
本実施の形態５においては、コントローラ１００にアラーム発生手段１０３が設けられている。コントローラ１００の演算手段１０１は、例えば図７のフローチャートの判定処理（Ｓ２４、Ｓ２７、Ｓ３４）において電力超過が解決していない場合には、アラーム発生手段１０３を駆動し、例えば「電力量が超過しました。」というアラームを発生する。このような場合に、ユーザーが他の機器、例えばＩＨクッキングヒータ２０３の火力を低下させて困るような場合には、そのデマンド優先度設定手段２１３を操作してその優先度を低くし、ＩＨクッキングヒータ２０３の火力を低下させずに、例えばエアコン２０２の電力量を抑制させるようにすることができる。
【００３６】
デマンド優先度設定手段２１３は、例えば図１２（ａ）（ｂ）に示されるような構成からなっている。
図１２（ａ）の例では、デマンド優先度設定手段２１３は、優先度が示された数値２１３ａの下にスライド可能なレバー２１３ｂを備えており、レバー２１３ｂを操作することにより優先度を調整することができる。
また、図１２（ｂ）の例では、デマンド優先度設定手段２１３は、優先度ＵＰの釦２１３ｃ及び優先度Ｄｏｗｎの釦２１３ｄと、優先度の値を示す表示部２１３ｅとを備え、優先度ＵＰの釦２１３ｃ（又は優先度Ｄｏｗｎの釦２１３ｄ）を押すことにより優先度の値を調整し、その値を表示部２１３ｅに表示させる。
【００３７】
以上のように本実施の形態５によれば、コントローラ１００は、使用電力量超過時にアラーム発生手段１０３を駆動してアラームを発し、一定時間後、デマンド制御処理を実行するようにしており、このため、アラームが鳴っている間に、ユーザが電力制御されたくない家電機器の優先度を下げることが可能になっており、急を要するデマンド制御が容易に実現できている。
なお、上記のアラーム発生手段１０３は音声によるアラームの例であるが、表示手段による点滅表示等によってもよい。
【図面の簡単な説明】
【００３８】
【図１】本発明の実施の形態１に係る家電機器デマンドシステムの構成を示したブロック図である。
【図２】コントローラに設定された優先度の説明図である。
【図３】本発明の実施の形態２に係る家電機器デマンド制御システムの構成図（通信アダプタの例）である。
【図４】本発明の実施の形態２に係る家電機器デマンド制御システムの構成図（コンセントの例）である。
【図５】立ち上がり時の動作を示すシーケンスである。
【図６】コントローラの処理動作を示すフローチャートである。
【図７】デマンド制御の対象機器がエアコンの場合のデマンド制御の処理を示したフローチャートである。
【図８】デマンド制御の制御対象がＩＨクッキングヒータデマンド制御の処理を示したフローチャートである。
【図９】本発明の実施の形態３に係る家電機器デマンド制御システムの処理過程を示したフローチャートである。
【図１０】本発明の実施の形態４に係る家電機器デマンド制御システムの家電機器側の構成を示したブロック図である。
【図１１】本発明の実施の形態５に係る家電機器デマンド制御システムの構成を示したブロック図である。
【図１２】デマンド優先度設定手段の構成例を示した図である。
【符号の説明】
【００３９】
１００ コントローラ、１０１ 演算手段、１０２ メモリ、１０３ アラーム発生手段、１１０ 電力量センサ、２００ 家電機器、２０１ エアコン、２０２ エアコン、２０３ ＩＨクッキングヒータ 、２０４ コンセント、２０５ 家電機器、２１０ 通信アダプタ、２１１ 家電機器側インターフェース、２１２ コントローラ側インターフェース、２１３ デマンド優先度設定手段、２１４ 演算手段、２１５ 優先度通知手段、２１６ 変換手段、２１７ 電源遮断制御手段、３０１〜３０３ プレート、３０４〜３０６ プレート電力制御手段、３０７〜３０９ 端子。
【図１】
2010075015.tif 000003
【図２】
2010075015.tif 000004
【図３】
2010075015.tif 000005
【図４】
2010075015.tif 000006
【図５】
2010075015.tif 000007
【図６】
2010075015.tif 000008
【図７】
2010075015.tif 000009
【図８】
2010075015.tif 000010
【図９】
2010075015.tif 000011
【図１０】
2010075015.tif 000012
【図１１】
2010075015.tif 000013
【図１２】
2010075015.tif 000014